(57)【要約】【課題】遊技店への搬送・搬入が容易でしかも島の組立作業が簡単であり、組立後に装置の一部を交換、増設する場合等の作業も容易に行なうことが可能な遊技機島を提供するものである。【解決手段】本発明においては、遊技媒体の搬送装置を有する上段ユニットと、複数の装置より成る貯溜・搬送装置を配設した下段ユニットと、複数の遊技機が列を成すように配設され、前記上段ユニットと下段ユニットの間に配置された中段ユニットとを備えた遊技機島であって、前記下段ユニットを、前記複数の装置と、該装置を個々に支持する支持フレームと、前記支持フレーム上に架設された棚板とを有するサブユニットを複数連結して構成したものである。【選択図】  図２
2005185803.tif 000002
【特許請求の範囲】
【請求項１】
遊技媒体の搬送装置を有する上段ユニットと、複数の装置より成る貯溜・搬送装置を配設した下段ユニットと、複数の遊技機が列を成すように配設され、前記上段ユニットと下段ユニットの間に配置された中段ユニットとを備えた遊技機島であって、
前記下段ユニットを、前記複数の装置と、
該装置を個々に支持する支持フレームと、
前記支持フレーム上に架設された棚板とを有するサブユニットを
複数連結して構成した
ことを特徴とする、遊技機島。
【請求項２】
請求項１項に記載の遊技機島において、
前記サブユニットは、個々の装置と、
床面に立脚する一対の支持サポートと、前記支持サポートの上端部に架設されたアッパーステーと、下端部に架設されたロアステーを備え、前記個々の装置を外装する支持フレームと、
該支持フレーム上に架設された棚板とを備え、
前記個々の装置の少なくとも一部を棚板に固定した
ことを特徴とする、遊技機島。
【請求項３】
請求項１乃至請求項２項の何れかに記載の遊技機島において、
前記各々の装置の上面と前記棚板とを当接固定した
ことを特徴とする遊技機島。
【請求項４】
請求項１乃至請求項３の何れかに記載の遊技機島において、
前記棚板に、各支持サポートに対し間隔をおいて架設された腰板を取付けるとともに、
該腰板と支持サポートとを底板を介して結合し、その間に配線挿通溝を形成した
ことを特徴とする、遊技機島。
【請求項５】
請求項１乃至請求項４項の何れかに記載の遊技機島において、
前記隣接する各々のサブユニットは、一方のサブユニットに連結プレートを設けるとともに、
他方のサブユニットに該連結プレートの被連結部を形成し、
前記連結プレートと被連結部と前記個々の装置とを固定した
ことを特徴とする、遊技機島。
【請求項６】
請求項１乃至請求項５の何れかに記載の遊技機島において、
前記隣接するサブユニットと、
前記連結プレートとの間に収納空間を画成した
ことを特徴とする、遊技機島。
【請求項７】
請求項１乃至請求項６の何れかに記載の遊技機島において、
前記サブユニットを構成する支持フレームに高さ調整機構を設けた
ことを特徴とする、遊技機島。
【発明の詳細な説明】
【技術分野】
【０００１】  本発明は、遊技媒体の搬送装置を有する上段ユニットと、貯溜・搬送装置を配設した下段ユニットと、複数の遊技機が列を成すように配設され、前記上段ユニットと下段ユニットの間に配置される中段ユニットとを備えた遊技機島に関する。
【背景技術】
【０００２】  従来、遊技機店における遊技機島の設置工程を改善するために、遊技機島を貯溜・搬送装置を構成する装置の一部を収納した上段ユニットと下段ユニット並びに複数の遊技機が列を成して配列された中段ユニットに分割し、下段ユニットを工場にて製作し、それらを遊技機店内に運び入れ、店内の床上に設置した後に、該下段ユニット上に順次中段ユニット、上段ユニットを構築していく構造が知られていた。【０００３】  例えば、特許文献１である特開２００１−１６２０２２に開示されている構造は、下段ユニットの内側に島の長さ方向に連通する空間を形成し、この空間内に予めパチンコ玉の貯溜・搬送機構を組み込んで一体となし、この下段ユニットを床上の所定位置に据え付けた後、中段ユニット、上段ユニットを順次、組付けることによってパチンコ島を構築する構造であった。【０００４】  この出願の発明に関連する先行技術文献としては次のものがある。
【特許文献１】特開２００１−１６２０２２号公報
【発明の開示】
【発明が解決しようとする課題】
【０００５】  しかしながら、上記した従来の島構造では、下段ユニット２０の内側に島の長さ方向に連通する空間ｓ（特許文献１中の符号）の内部に玉の貯溜・搬送機構である各貯溜タンク５０（５０Ａ、５０Ｂ、５０Ｃ）（特許文献１中の符号）、およびそれらに接続されるミニリフト５１（特許文献１中の符号）、サブタンク５２（特許文献１中の符号）、搬送レール５１，６１（特許文献１中の符号）等、複数の装置、を組み込んでいる。そして、これらの玉の貯溜・搬送機構を組み込んだ下段ユニット２０（特許文献１中の符号）を遊技店に運び込み、床に据え付けた後に順次中段ユニット３（特許文献１中の符号）、上段ユニット４（特許文献１中の符号）を組み付けることによって島を構築している。【０００６】  しかしながら、上述した従来技術では、複数の装置から構成された玉の貯溜・搬送機構を組み込んだ下段ユニット２０（特許文献１中の符号）を一の組立体として取り扱うため、島の長さ、各装置の配列により制限が加わり、遊技店の設置部分の単位で下段ユニット２０（特許文献１中の符号）を構成する必要があった。このため、島の長さによっては、取り扱い作業が面倒となる場合があった。また、床に固定されているアンカーボルトａ（特許文献１中の符号）と下段ユニット２０（特許文献１中の符号）の支持フレーム２１（特許文献１中の符号）とのすべての位置合わせが必要であり、実際上極めて難しい作業が強いられる。更に、一端下段ユニット２０（特許文献１中の符号）を床に固定した後に装置の故障、増設などによって装置の一部を取外す場合には、支持フレーム２１（特許文献１中の符号）の取り外し、位置調整などもあり、その対応が容易でなかった。【０００７】  本発明は、上記の問題を解決するためになされたものであり、その目的は、遊技店への搬送・搬入が容易でしかも島の組立作業が簡単であり、組立後に装置の一部（リフター等）を交換、あるいはサブユニットを増設する場合等の作業も容易に行なうことが可能な遊技機島を提供するものである。
【課題を解決するための手段】
【０００８】  上記課題を解決するため、本発明においては、遊技媒体の搬送装置を有する上段ユニットと、複数の装置より成る貯溜・搬送装置を配設した下段ユニットと、複数の遊技機が列を成すように配設され、前記上段ユニットと下段ユニットの間に配置された中段ユニットとを備えた遊技機島であって、前記下段ユニットを、前記複数の装置と、該装置を個々に支持する支持フレームと、前記支持フレーム上に架設された棚板とを有するサブユニットを複数連結して構成したものである。【０００９】  このことにより、遊技機島の下段ユニットを各々の装置毎に工場でサブユニット化した後に、遊技店に搬送・搬入することができるため、その搬送・搬入が容易であり、しかも、店内での組立もそのサブユニット単位に据付け、その後に、中段ユニット、上段ユニットを組付け遊技機島を構築するため、遊技機島を構築する作業も簡単かつ容易に行なうことができ、更に、遊技機島として使用している時に生じる装置の交換、増設もサブユニット単位で行なうことができるためその作業も効率的に行なうことができる。【００１０】    次の発明は、前記サブユニットは、個々の装置と、床面に立脚する一対の支持サポートと、前記支持サポートの上端部に架設されたアッパーステーと、下端部に架設されたロアステーを備え、前記個々の装置を外装する支持フレームと、該支持フレーム上に架設された棚板とを備え、前記個々の装置の少なくとも一部を棚板に固定したものである。【００１１】  このことにより、各々の装置を支持フレームと棚板との内部に固定することができ、装置が支持フレームや棚板内で移動することがなく、遊技店への搬送・搬入を容易に行なうことができる。【００１２】  更に、次の発明は、前記各々の装置の上面と前記棚板とを当接固定したものである。【００１３】  このことにより、棚板は、装置によって強度が補強され、中段ユニット、上段ユニットを組み付ける際は無論のこと遊技機島として構築、運転した時においても下段ユニットが変形し、遊技機島の運転し支障を起こす恐れがない。【００１４】  更に、次の発明は、前記棚板に、各支持サポートに対し間隔をおいて架設された腰板を取付けるとともに、該腰板と支持サポートとを底板を介して結合し、その間に配線挿通溝を形成したものである。【００１５】  このことにより、配線をサブユニット間に渡って収納することができ、リフター等の取り外しのときに配線が障害となるようなことがない。【００１６】  更に、次の発明は、前記隣接する各々のサブユニットは、一方のサブユニットに連結プレートを設けるとともに、他方のサブユニットに該連結プレートの被連結部を形成し、  前記連結プレートと被連結部と前記個々の装置とを固定したものである。【００１７】  このことにより、連結プレート上に中段ユニットのフレームを配設して、その上に上段ユニットを支持した場合にも、その荷重に耐えうるに充分な強度を確保することができ、収納空間部分に支持フレーム等のような特別な補強を設ける必要もない。【００１８】  更に、次の発明は、前記隣接するサブユニットと、前記連結プレートとの間に収納空間を画成したものである。【００１９】  このことにより、このことにより、収納空間の前面には��支持フレームが位置しないため、収納空間内に配設した装置の点検、修理時のチェック、取り外し等の作業が容易に行なえる。また、装置の交換も容易であり、効率的な運転、維持を達成することができる。【００２０】  更に、次の発明は、前記隣接するサブユニットを構成する支持フレームに高さ調整機構を設けたものである。【００２１】  このことにより、サブユニット単位で遊技機島に高さが調整でき、遊技店の床状態に適宜対応することができる。
【発明の効果】
【００２２】  以上のように、本発明によれば、複数の装置を有する貯溜・搬送装置と、各々の装置がそれぞれ配設される上段ユニット並びに下段ユニットと、複数の遊技機が列を成すように配設され、前記上段ユニットと下段ユニットの間に配置する中段ユニットとを備えた遊技機島であって、前記下段ユニットは、前記各々の装置と、該装置毎に外装支持する支持フレームと、前記支持フレーム上に載置した棚板とを備えたサブユニットを複数連結して構成したもので、遊技機島の下段ユニットを各々の装置毎に工場でサブユニット化し、一定量造り置きしておき、順次、遊技店に搬送・搬入することができるため、その搬送・搬入が容易であり、しかも、店内での組立もそのサブユニット単位に据付け、その後に、中段ユニット、上段ユニットを組付け遊技機島を構築するため、遊技機島を構築する作業も簡単かつ容易に行なうことができ、更に、遊技機島として使用している時に生じる装置の交換、増設もサブユニット単位で行なうことができるためその作業も効率的に行なうことができる。
【発明を実施するための最良の形態】
【００２３】  以下、本発明を実施するための最良の形態を、図面に基づいて説明する。図１は、本発明の遊技機島の主要部を示したもので、（ａ）は、正面図、（ｂ）は、側面図、図２は、本発明の遊技機島の主要部分解図を示したもので、（ａ）は、正面図、（ｂ）は、側面図、図３は、本発明の遊技機島を構成する下部ユニットの一部サブユニットを示した説明図であって、（ａ）は、正面図、（ｂ）は、側面図、図４は、エンドタンクを示したもので、（ａ）は、平面図、（ｂ）は、正面図、（ｃ）は、側面図、図５は、フレームを示したもので、（ａ）は、平面図、（ｂ）は、正面図、（ｃ）は、側面図である。【００２４】  本発明の遊技機島１００は、図１に示すように、下段ユニット１と下段ユニット１上に立脚する中段ユニット２と該中段ユニット２上に架設される上段ユニット３と下段ユニット１に組み付けられる貯溜・搬送装置４（エンドタンク４１、中間タンク５１，アウトレール６１、バランスタンク７１）を備えたサブユニット（エンドタンクユニット４０、中間タンクユニット５０、アウトレールユニット６０、バランスタンクユニット７０）と、下段ユニットから上段ユニットに遊技媒体５を揚送する研磨塔兼揚送装置６と、上段ユニット３に配設された水平搬送装置７と下段ユニット１に後付けされるリフター８で構成されている。そして、遊技媒体５は、貯溜・搬送装置４のエンドタンク４１、リフター８、中間タンク５１，リフター８、アウトレール６１、バランスタンク７１、から研磨塔兼揚送装置６、水平搬送装置７、ホース（図示しない）を経て貯溜・搬送装置４のエンドタンク４１へと循環する。
【実施例１】
【００２５】  本発明の遊技機島１００を構成する下段ユニット１は、図２に示すように、下段ユニット１の内部に収納配置された貯溜・搬送装置４の各装置（エンドタンク４１、中間タンク５１，アウトレール６１、バランスタンク７１）毎にサブユニット化されている。例えばエンドタンク４１を有するエンドタンクユニット４０，中間タンク５１を有する中間タンクユニット５０，アウトレール６１を有するアウトレールユニット６０，バランスタンク７１を有するバランスタンクユニット７０ようにサブユニット化されている。尚、８は、エンドタンク４１と中間タンク４２並びに，中間タンク４２とアウトレール４３の間に配設され，遊技媒体５を下方から上方へ移送するリフターである。【００２６】  エンドユニット４０は、水平搬送装置７から送り込まれた遊技媒体５を貯溜するエンドタンク４１と、そのエンドタンク４１を外装するエンドタンク用支持フレーム４２と、エンドタンク用支持フレーム４２上に載置されるエンドタンク用棚板４３、を主要部として構成されている。【００２７】  中間タンクユニット５０は、エンドタンク４１からリフター８を介して送り込まれた遊技媒体５を貯溜する中間タンク５１と、その中間タンク５１を外装する中間タンク用支持フレーム５２と、その中間タンク用支持フレーム５２上に載置される中間タンク用棚板５３、を主要部として構成されている。【００２８】  アウトレールユニット６０は、中間タンク５１からリフター８を介して送り込まれた遊技媒体５をバランスタンク７１に流し込むアウトレール６１と、そのアウトレール６１を外装するアウトレール用支持フレーム６２と、そのアウトレール用支持フレーム６２上に載置されるアウトレール用棚板６３、を主要部として構成されている。【００２９】  バランスタンクユニット７０は、中間タンク５１からアウトレール６１を通過して送り込まれた遊技媒体５を研磨塔兼揚送装置６に送り込むバランスタンク７１と、そのバランスタンク７１を外装するバランスタンク用支持フレーム７２と、そのバランスタンク用支持フレーム７２上に載置されるバランスタンク用棚板７３、を主要部
として構成されている。【００３０】  図３乃至図５は、エンドタンクユニット４０の詳細を示したもので、図３は、エンドタンク４１とエンドタンク用支持フレーム４２並びにエンドタンク用棚板４３の組立状態を示し、図４は、エンドタンク４１を示し、図５は、エンドタンク用支持フレーム４２とエンドタンク用棚板４３を示したものである。【００３１】  エンドタンク４１は、前壁４１１と後壁４１２と側壁４１３と底壁４１４を備え、上方を開放した中空の長矩形状に形成され、内部に遊技媒体５の搬送経路４１９が設けられている。（以下、本発明において前とは、研磨塔兼揚送装置６側を言い、後とはその反対側を指す）そして、底壁４１４に、突状の台座４１５を形成するとともに、該台座４１５の最前部に、遊技媒体５の排出口４１６を形成している。更に、側壁４１３の開放側には、エンドタンク用支持フレーム４２のアッパーステー４２２を嵌合するための嵌合凹部４１７が、後壁４１２には、遊技媒体５の搬入口４１８が設けられている。【００３２】  エンドタンク用支持フレーム４２は、間隔をおいて対向する一対の支持サポート４２１と、その間の上部に架設されたアッパーステー４２２と、下部に架設されたロアステー４２３とを矩形に組立てた形状を成している。この実施例では、エンドタンク４１を支持するための支持フレーム４２を３本使用している。また、該ロアステー４２３には、床に埋設されたアンカーボルト等の基礎部材（図示しない）への取付ブラケット４２４が取付けられている。このロアステー４２３には高さ調整機構であるアジャスター４２５が取り付けられ、エンドタンク用支持フレーム４２（惹いてはエンドタンクユニット）の水平度を調節している。【００３３】  エンドタンク用棚板４３は、一組の長尺な平板形状を成している。そして、中段ユニット２の取付空隔４６を設けるようにして、一対の支持サポート４２１間に間隔をおいて対向するように架設される。また、上面の取付空隔４６側には、幅の狭い補強板４３１が取付けられ、下面には、図３に示すように、腰板４３２の取付部４３３が設けられている。【００３４】支持サポート４２１の外側には、図３に示すように、腰板４３２が間隔をおいて対向配設されている。この腰板４３２は、上部をエンドタンク用棚板４３の取付部４３３に結合され、下部は、凹形状の底板４３４を介して支持サポート４２１に固定されている。この腰板４３２と支持サポート４２１と底板４３４によって画成された部分に配線挿通溝４３５が形成されている。尚、この配線挿通溝４３５は、エンドタンクユニット４０、中間タンクユニット５０、アウトレールユニット６０、バランスタンクユニット７０についても形成されており、それらを連通させて全体の配線挿通溝４３５としている。【００３５】  エンドタンクユニット４０の組付は、アッパーステー４２２を取付けていない状態のエンドタンク用支持フレーム４２を工場内で、組み付けた後に、エンドタンク用支持フレーム４２の内部にエンドタンク４１を配設する。この時、ロアステー４２３でエンドタンク４１の底壁４１４に設けた突状の台座４１５を受けている。そして、アッパーステー４２２をエンドタンク４１に形成した嵌合凹部１１７に嵌合し、��ンドタンク用支持フレーム４２にボルト等で固定する。この組付によって、エンドタンク４１とエンドタンク用支持フレーム４２とが固定される。そして、それらを遊技店に搬送し、配置した後にアンカーボルト等（図示しない）で床に固定する。尚、この実施例では、工場内でサブユニット化しているが、サブユニットを構成する部材を遊技店に個別に搬入し、遊技店内で設置することも可能である。【００３６】  次に、エンドタンク用棚板４３をエンドタンク用支持フレーム４２に架設する。このエンドタンク用棚板４３には、先端に連結プレート４３６が一体に形成され、この連結プレート４３６の部分がエンドタンク４１より前方に張り出すようにして架設されている。そして、エンドタンク用棚板４３をその後端がエンドタンク用支持フレーム４２の端部に合うように架設した時に、この連結プレート４３６が、エンドタンク４１より前方に張り出して収納空間４４を形成するようの架設されている。そして、このように形成されたエンドタンク用棚板４３は、ボルト等でエンドタンク用支持フレーム４２のアッパーステー４２２に取付られている。また、同時にエンドタンク４１にも固定部材４５で固定されている。【００３７】  次に、図２によって、中間タンクユニット５０、アウトレールユニット６０、バランスタンクユニット７０についてその概略を説明する。尚、エンドタンクユニット４０と類似した構成には同符号を付し、その説明は省略する。【００３８】  中間タンクユニット５０は、エンドタンクユニット４０と比較して、中間タンク５１に取付けた中間タンク用支持フレーム５２の取付ピッチがエンドタンク４１とエンドタンク用支持フレーム４２の取付ピッチと比較して異なっている。これは、リフター８を収納空間に配設した時に中間タンク用支持フレーム５２が邪魔にならないように前方のずらしているためである。また、中間タンク用支持フレーム５２は、中間タンク５１の後端上面にエンドタンク用棚板４３の連結プレート４３６を載置するための被連結部４３７を形成するように、中間タンク５１の後端が中間タンク用支持フレーム５２より突出るように取付られている。同様に中間タンクユニット用棚板５３も中間タンク５１の後端より前方に位置するようにして中間タンク用支持フレーム５２と中間タンク５１に取付けられている。この被連結部４３７にエンドタンクユニット４０のエンドタンク用棚板４３に形成された連結プレート４３６を受容し、固定部材４５でエンドタンク用棚板４３と中間タンクユニット用棚板５３を結合するとともに中間タンク５１に中間タンクユニット用棚板５３を固定している。【００３９】  アウトレールユニット６０は、エンドタンクユニット４０に対して収納される装置がアウトレール６１である点とアウトレール用棚板６３の両端に被連結部４３７が形成されている点が相違する。被連結部４３７には、中間タンクユニット５０の中間タンクユニット用棚板５３とバランスタンクユニット７０のバランスタンク用棚板７３に各々形成された連結プレート４３６が受容され、固定部材４５でアウトレール用棚板６３と中間タンクユニット用棚板５３とバランスタンク用棚板７３とを結合している。またアウトレール６１には、アウトレール用棚板６３が取付けられている。【００４０】  バランスタンクユニット７０は、エンドタンクユニット４０に対して収納される装置がバランスタンク７１である点とバランスタンク用支持フレーム７２を２本使用している点並びにバランスタンク用棚板７３をバランスタンク用支持フレーム７２の前端に合わせた時に後方に短く延びた連絡プレート４３６が形成される点が相違する。連絡プレート４３６は、アウトレール用棚板６３の被連結部４３７に受容され、固定部材４５でバランスタンク用棚板７３とアウトレール用棚板６３同士を結合するとともにバランスタンク用棚板７３とアウトレール用棚板６３をバランスタンク３１に取付けている。【００４１】  これらのサブユニットであるエンドタンクユニット４０、中間タンクユニット５０、アウトレールユニット６０、バランスタンクユニット７０は、図１に示すように、隣接するサブユニット例えば、エンドタンクユニット４０と中間タンクユニット５０は、エンドタンク用棚板４３の形成した連結プレート４３６を中間タンクユニット５０に形成された被連結部４３７対応させ、固定部材４５によって連結固定する。また、同様に中間タンクユニット５０とアウトレールユニット６０は、中間タンク用棚板５３に形成した連結プレート４３６をアウトレールユニット６０に形成された被連結部４３７に対応させ、固定部材４５によって連結固定する。更に、アウトレールユニット６０とバランスタンクユニット７０は、バランスタンク用棚板７３に形成した連結プレート４３６をアウトレールユニット６０に形成された被連結部４３７に対応させ、固定部材４５によって連結固定する。【００４２】  これらのサブユニットの連結に使用されるエンドタンク用棚板４３、中間タンク用棚板５３、バランスタンク用棚板７３に各々形成された連結プレート４３６の長さは、エンドタンク用棚板４３、中間タンク用棚板５３に形成した連結プレート４３６がバランスタンク用棚板７３にした連結プレート４３６に比較して長く形成されている。この長さによって、エンドタンクユニット４０と中間タンクユニット５０の間並びに中間タンクユニット５０とアウトレールユニット６０の間に収納空間４４が画成される。そして、本実施例にあっては、この収納空間４４にリフター８を配設し、エンドタンク４１に貯溜された遊技媒体５をシュート９とリフター８を介して中間タンク５１に、中間タンク５１に貯溜された遊技媒体５をシュート９とリフター８を介してアウトレール６１に搬送している。【００４３】また、説明上、各支持フレーム（エンドタンク用支持フレーム４２と中間タンク用支持フレーム５２とアウトレール用支持フレーム６２とバランスタンク用支持フレーム７２）を各装置専用部品として説明したが、本実施例では、これらの支持フレームを共通形状に形成しているが、これらの各支持フレームを装置の形状に合わせて専用構造にすることも可能である。この時にも同様に、高さ調整機構であるアジャスター４２５によって高さ、水平度が調整される。【００４４】  いずれの場合にも、本発明の遊技機島１００を構成する下段ユニット１は、該下段ユニット１に装着される、貯溜・搬送装置の装置毎にサブユニット化し、そのサブユニット単位で取り���いできるように構成したことに特徴があり、装置の種類、台数、大きさに制限されることはない。【００４５】  中段ユニット２は、図２に示すように、間隔を空けて対向する一対の中間サポート２１、２２と、その中間支柱サポート２１，２２の上部に架設された上部フレーム２３と中間部分に架設された中間フレーム２４を備えた梯子形状を成している。そして、この中間サポート２１，２２の下端には、下段ユニット１への取付プレート２５，２６が固定されている。この中段ニット２は、遊技機島１００の長手方向に間隔をおいて遊技機、台間装置の合わせて、複数台立脚されている。（実施例では、１１本立脚されているが、この本数は、遊技機島１００の長さ、遊技機の台数、台間装置の数等で任意に設定される。）【００４６】  本発明の特徴の一つは、上記の中段ユニット２を下段ユニット１上の長さ方向に任意の間隔で立脚することができる。即ち、中段ユニット２をすべて同形状に加工しておき、作業現場で遊技機の数、台間装置の数に合わせて下段ユニット１上に順次立脚していけば良い。【００４７】  上段ユニット３は、図２に示すように、中間サポート２１，２２の上部に上部サポート３３，３４に取付、その上部サポート３３，３４の外側に一対の支持プレート３１，３２とカバープレート３５，３６を組み付け、遊技機島１００の長手方向に沿って取付けられている。これらの支持プレート３１，３２と上部サポート３３，３４とカバープレート３５，３６によって画成された内部に水平搬送装置７が配設されている。【００４８】  上段ユニット３も、遊技機島１００の長手方向に沿って適宜長さに分割されているが、無論一本の長尺物で形成することも可能である。【００４９】  これらの装置であるエンドタンクユニット４０、中間タンクユニット５０、アウトレールユニット６０、バランスタンクユニット７０の各々を配設したサブユニットを床に仮配置した後に各々のユニットの高さ、水平度は、高さ調整機構であるアジャスター４２５で、し、最後に固定部材４５で各々棚板を前後方向に調整し、装置を固定連結する。最後に、アンカーボルト等の基礎部材（図示しない）で床にサブユニットを固定する。次に、エンドタンクユニット４０と中間タンクユニット５０の間並びに中間タンクユニット５０とアウトレールユニット６０の間に画成された収納空間４４にリフター８を配設して下段ユニット１を完成させる。【００５０】  次に、下段ユニット１に設けられた取付空隔４６に、中段ユニット２の取付プレート２５，２６を嵌合した後にボルト等で固定し、下段ユニット１上に組付ける。この中段ユニット２は、遊技機等の幅、台間装置の有無等に対応させて、遊技機島１００の長さ方向に間隔をおいて立設される。【００５１】  次に、中段ユニット２上に、支持プレート３１，３２、上部サポート３３，３４を組み付、その内部に水平搬送装置７を収納し、カバープレート３５，３６を組付けるがこの順序は特に規制されなく、適宜変更することが可能である。【００５２】  最後に、研磨塔兼揚送装置６を下段ユニット１、中段ユニット２、上段ユニット３の組付体に取付けて遊技機島１００を構築する。
【図面の簡単な説明】
【００５３】
【図１】本発明の遊技機島の主要部を示したもので、（ａ）は、正面図、（ｂ）は、側面図である。
【図２】本発明の遊技機島の主要部分解図を示したもので、（ａ）は、正面図、（ｂ）は、側面図である。
【図３】本発明の遊技機島を構成する下部ユニットの一部サブユニットであるエンドタンクユニットを示した説明図であって、（ａ）は、正面図、（ｂ）は、側面図である。
【図４】エンドタンクを示したもので、（ａ）は、平面図、（ｂ）は、正面図、（ｃ）は、側面図である。
【図５】エンドタンク用支持フレームを示したもので、（ａ）は、平面図、（ｂ）は、正面図、（ｃ）は、側面図である。
【符号の説明】
【００５４】１００…遊技機
１…下段ユニット
２…中段ユニット
３…上段ユニット
４…貯溜・搬送装置
５…遊技媒体
６…研磨塔兼揚送装置
７…水平搬送装置
８…リフター
４０…エンドタンクユニット
４１…エンドタンク
４２…エンドタンク用支持フレーム
４２５…高さ調整機構（アジャスター）
４３…エンドタンク用棚板
４４…収納空間
４５…固定部材
４６…取付空隔
５０…中間タンクユニット
５１…中間タンク
５２…中間タンク用支持フレーム
５３…中間タンク用棚板
６０…アウトレールユニット
６１…アウトレール
６２…アウトレール用支持フレーム
６３…アウトレール用棚板
７０…バランスタンクユニット
７１…バランスタンク
７２…バランスタンク用支持フレーム
７３…バランスタンク用棚板
【図１】
2005185803.tif 000003
【図２】
2005185803.tif 000004
2005185803.tif 000005
【図３】
2005185803.tif 000006
2005185803.tif 000007
【図４】
2005185803.tif 000008
【図５】
2005185803.tif 000009
【手続補正書】
【提出日】平成16年3月9日(2004.3.9)
【手続補正１】
【補正対象書類名】明細書
【補正対象項目名】００２３
【補正方法】変更
【補正の内容】
【００２３】  以下、本発明を実施するための最良の形態を、図面に基づいて説明する。図１は、本発明の遊技機島の主要部を示したもので、（ａ）は、正面図、（ｂ）は、側面図、図２、図３は、本発明の遊技機島の主要部分解図を示したもので、図２は、正面図、図３は、側面図、図４、図５は、本発明の遊技機島を構成する下部ユニットの一部サブユニットを示した説明図であって、図４は、正面図、図５は、側面図、図６は、エンドタンクを示したもので、（ａ）は、平面図、（ｂ）は、正面図、（ｃ）は、側面図、図７は、フレームを示したもので、（ａ）は、平面図、（ｂ）は、正面図、（ｃ）は、側面図である。
【手続補正２】
【補正対象書類名】明細書
【補正対象項目名】００２５
【補正方法】変更
【補正の内容】
【００２５】  本発明の遊技機島１００を構成する下段ユニット１は、図２、図３に示すように、下段ユニット１の内部に収納配置された貯溜・搬送装置４の各装置（エンドタンク４１、中間タンク５１，アウトレール６１、バランスタンク７１）毎にサブユニット化されている。例えばエンドタンク４１を有するエンドタンクユニット４０，中間タンク５１を有する中間タンクユニット５０，アウトレール６１を有するアウトレールユニット６０，バランスタンク７１を有するバランスタンクユニット７０ようにサブユニット化されている。尚、８は、エンドタンク４１と中間タンク４２並びに，中間タンク４２とアウトレール４３の間に配設され，遊技媒体５を下方から上方へ移送するリフターである。
【手続補正３】
【補正対象書類名】明細書
【補正対象項目名】００３０
【補正方法】変更
【補正の内容】
【００３０】  図４乃至図７は、エンドタンクユニット４０の詳細を示したもので、図４及び図５は、エンドタンク４１とエンドタンク用支持フレーム４２並びにエンドタンク用棚板４３の組立状態を示し、図６は、エンドタンク４１を示し、図７は、エンドタンク用支持フレーム４２とエンドタンク用棚板４３を示したものである。
【手続補正４】
【補正対象書類名】明細書
【補正対象項目名】００３３
【補正方法】変更
【補正の内容】
【００３３】  エンドタンク用棚板４３は、一組の長尺な平板形状を成している。そして、中段ユニット２の取付空隔４６を設けるようにして、一対の支持サポート４２１間に間隔をおいて対向するように架設される。また、上面の取付空隔４６側には、幅の狭い補強板４３１が取付けられ、下面には、図４、図５に示すように、腰板４３２の取付部４３３が設けられている。
【手続補正５】
【補正対象書類名】明細書
【補正対象項目名】００３４
【補正方法】変更
【補正の内容】
【００３４】支持サポート４２１の外側には、図４、図５に示すように、腰板４３２が間隔をおいて対向配設されている。この腰板４３２は、上部をエンドタンク用棚板４３の取付部４３３に結合され、下部は、凹形状の底板４３４を介して支持サポート４２１に固定されている。この腰板４３２と支持サポート４２１と底板４３４によって画成された部分に配線挿通溝４３５が形成されている。尚、この配線挿通溝４３５は、エンドタンクユニット４０、中間タンクユニット５０、アウトレールユニット６０、バランスタンクユニット７０についても形成されており、それらを連通させて全体の配線挿通溝４３５としている。
【手続補正６】
【補正対象書類名】明細書
【補正対象項目名】００４５
【補正方法】変更
【補正の内容】
【００４５】  中段ユニット２は、図２、図３に示すように、間隔を空けて対向する一対の中間サポート２１、２２と、その中間支柱サポート２１，２２の上部に架設された上部フレーム２３と中間部分に架設された中間フレーム２４を備えた梯子形状を成している。そして、この中間サポート２１，２２の下端には、下段ユニット１への取付プレート２５，２６が固定されている。この中段ニット２は、遊技機島１００の長手方向に間隔をおいて遊技機、台間装置の合わせて、複数台立脚されている。（実施例では、１１本立脚されているが、この本数は、遊技機島１００の長さ、遊技機の台数、台間装置の数等で任意に設定される。）
【手続補正７】
【補正対象書類名】明細書
【補正対象項目名】００４７
【補正方法】変更
【補正の内容】
【００４７】  上段ユニット３は、図２、図３に示すように、中間サポート２１，２２の上部に上部サポート３３，３４に取付、その上部サポート３３，３４の外側に一対の支持プレート３１，３２とカバープレート３５，３６を組み付け、遊技機島１００の長手方向に沿って取付けられている。これらの支持プレート３１，３２と上部サポート３３，３４とカバープレート３５，３６によって画成された内部に水平搬送装置７が配設されている。
【手続補正８】
【補正対象書類名】明細書
【補正対象項目名】００５３
【補正方法】変更
【補正の内容】
【００５３】
【図１】本発明の遊技機島の主要部を示したもので、（ａ）は、正面図、（ｂ）は、側面図である。
【図２】本発明の遊技機島の主要部分解図を示した正面図である。
【図３】本発明の遊技機島の主要部分解図を示した側面図である。
【図４】本発明の遊技機島を構成する下部ユニットの一部サブユニットであるエンドタンクユニットを示した正面図である。
【図５】本発明の遊技機島を構成する下部ユニットの一部サブユニットであるエンドタンクユニットを示した側面図である。
【図６】エンドタンクを示したもので、（ａ）は、平面図、（ｂ）は、正面図、（ｃ）は、側面図である。
【図７】エンドタンク用支持フレームを示したもので、（ａ）は、平面図、（ｂ）は、正面図、（ｃ）は、側面図である。
【手続補正９】
【補正対象書類名】図面
【補正対象項目名】全図
【補正方法】変更
【補正の内容】
【図１】
2005185803.tif 000010
【図２】
2005185803.tif 000011
【図３】
2005185803.tif 000012
【図４】
2005185803.tif 000013
【図５】
2005185803.tif 000014
【図６】
2005185803.tif 000015
【図７】
2005185803.tif 000016